(57)【要約】【課題】動作モードの設定されている現在の組合せがどような組合せであるかを正確に確認できるようにする。【解決手段】モード抵抗Ｒｍｏｄｅが接続され且つ一定の基準電圧Ｖｒｅｆ０に制御されるモード端子３を備え、モード抵抗Ｒｍｏｄｅに流れる電流Ｉｍｏｄｅの値に応じて動作モードの組合せを設定する状態設定回路を備えた電源装置であって、動作モードの設定済の組合せに応じて基準電圧Ｖｒｅｆ０の電圧値が再設定されるようにする。【選択図】図１
2018005648.tif 000002
【特許請求の範囲】
【請求項１】
モード抵抗が接続され且つ一定の基準電圧になるように帰還制御されるモード端子を備え、前記モード抵抗に流れる電流の値に応じて動作モードの組合せを設定する状態設定回路を備えた電源装置であって、
動作モードの設定済の前記組合せに応じて前記基準電圧の電圧値が再設定されるようにしたことを特徴とする電源装置。
【請求項２】
請求項１に記載の電源装置において、
前記状態設定回路は、Ｎ個（Ｎは２以上の整数）の基準電圧から選択された１つの基準電圧を出力する電圧発生回路と、前記モード端子の電圧を前記電圧発生回路から出力する基準電圧になるように帰還制御することで前記モード抵抗の抵抗値に反比例した電流値の電流を生成する電流発生回路と、該電流発生回路で発生した電流の電流値に対応した互いに同一の電流値の電流を個別に流すＮ個の電流源と、互いに異なった電流値のＮ個の基準電流源と、前記Ｎ個の電流源の電流値と前記Ｎ個の基準電流源の電流値とを個別に比較するＮ個の電流比較手段とを備え、
前記Ｎ個の電流比較手段の出力信号の組み合わせによって動作モードの前記組合せを設定し、設定された動作モードの前記組合せに応じて前記電圧発生回路から出力する前記基準電圧が切り替わるようにしたことを特徴とする電源装置。
【請求項３】
請求項２に記載の電源装置において、
前記電流発生回路は、反転入力端子と非反転入力端子の一方が前記モード端子に接続され前記反転入力端子と前記非反転入力端子の他方に前記電圧発生回路から出力する前記基準電圧が入力するオペアンプと、ゲートが前記オペアンプの出力端子に接続されドレインが前記モード端子に接続され前記モード端子の電圧を前記基準電圧に一致させるように動作する基準トランジスタとで構成され、
前記電流源は、前記基準トランジスタと同一導電型で且つ前記基準トランジスタにゲートが共通接続された電流源トランジスタで構成され、
前記電流比較手段は、前記電流源トランジスタの電流と前記基準電流源の電流との差分の極性によって論理を決めるインバータで構成されている、
ことを特徴とする電源装置。
【請求項４】
請求項３に記載の電源装置において、
前記Ｎ個の基準電流源を同じ抵抗値の抵抗に置き換えたことを特徴とする電源装置。
【発明の詳細な説明】
【技術分野】
【０００１】
本発明は、外付けのモード抵抗の抵抗値によって動作モードの組合せ（以下、「状態」と呼ぶこともある）を設定する状態設定回路を備えた電源装置に関する。
【背景技術】
【０００２】
汎用性の高い電源装置では複数の動作モードが設定可能となっており、ユーザはその複数の動作モードのうちから使用アプリケーションに応じた動作モードの組み合わせを選択できるようになっている。この種の技術は、例えば特許文献１に記載されている。
【０００３】
例えば、電圧変換方式では、スイッチング電源方式とシリーズレギュレータ方式の一方が選択可能になっている（第１グループ）。また、過電流保護方式では、過電流が所定値に達すると所定時間経過後に出力電圧を遮断するタイマラッチ方式と、過電流が所定値に達すると一定時間だけ出力電圧を遮断してその後ある時間が経過すると出力電圧を復帰させることを繰り返すヒカップ（自動復帰）方式の一方が選択可能となっている（第２グループ）。さらに、出力電圧についても複数の電圧から１個の電圧が選択可能となっている（第３グループ）。
【０００４】
これら第１乃至第３グループから１個づつ動作モードを選び出してそれらを組み合わせる組合せの数はきわめて多くなる。例えば、１つのグループに２つの動作モードがある場合は、８通りの組合せが可能である。しかし、ユーザにおいてそれら動作モードの組合せを設定することは煩わしい。そこで、これらの動作モードの複数の組合せから１つの組合せを簡単に選択するための状態設定回路が望まれる。
【０００５】
図７は状態設定回路の一例を示す図であり、動作モードの７つの組合せから１つの組合せを選択して設定できるようにした回路である。１は電源端子、２は接地端子、３はモード端子、７はデコーダである。Ｉｒｅｆ０はモード端子３に流れる電流を決める電流源である。
【０００６】
ＣＰ１〜ＣＰ６はコンパレータであり、それぞれ、反転入力端子には基準電圧源Ｖｒｅｆ１〜Ｖｒｅｆ６が印加され、非反転入力端子はモード端子３に接続され、出力端子ＯＵＴ１〜ＯＵＴ６はデコーダ７に接続されている。
【０００７】
このデコーダ７は、出力端子ＯＵＴ１〜ＯＵＴ６の信号の論理の組み合わせをデコーダして、動作モードの７つの組合せのうちから１つの組合せを指定する例えば３ビットの状態設定信号ＭＯＤＥを出力する。
【０００８】
図７の状態設定回路では、モード端子３に接続したモード抵抗Ｒｍｏｄｅとそこに流れる電流Ｉｒｅｆ０によって、そのモード端子３に発生するモード電圧Ｖｍｏｄｅが決まる。そして、このモード電圧ＶｍｏｄｅがコンパレータＣＰ１〜ＣＰ６の非反転入力端子に入力して、コンパレータＣＰ１〜ＣＰ６の基準電圧Ｖｒｅｆ１〜Ｖｒｅｆ６と比較されることで、そのコンパレータＣＰ１〜ＣＰ６の出力端子ＯＵＴ１〜ＯＵＴ６の信号の論理の組み合わせが決まり、この組み合わせをデコーダ７でデコードすることで、状態設定信号ＭＯＤＥが決定される。
【０００９】
図８は別の状態設定回路の一例を示す図であり、図７に示した状態設定回路と同様に、動作モードの７つの組合せから１つの組合せを選択して設定できるようにした回路である。１は電源端子、２は接地端子、３はモード端子、５はデコーダである。
【００１０】
ＯＰ１はオペアンプであり、非反転入力端子はモード端子３に接続され、反転入力端子には基準電圧源Ｖｒｅｆ０が接続され、出力端子はＰＭＯＳトランジスタＭＰ０のゲートに接続されている。これにより、オペアンプＯＰ１の非反転入力端子の電圧が反転入力端子の基準電圧Ｖｒｅｆ０に一致するようにトランジスタＭＰ０が帰還制御される。これによって生成したトランジスタＭＰ０のドレイン電圧Ｖｒｅｆ０が、モード端子３と接地端子２との間に接続されたモード抵抗Ｒｍｏｄｅに印加して、そこにモード電流Ｉｍｏｄｅが流れる。
【００１１】
トランジスタＭＰ０のゲートには、トランジスタＭＰ０とサイズ比が同じ６個のＰＭＯＳトランジスタＭＰ１〜ＭＰ６のゲートが共通接続されており、このため、それらのトランジスタＭＰ１〜ＭＰ６のドレイン電流も、モード電流Ｉｍｏｄｅと同じとなる。
【００１２】
そして、トランジスタＭＰ１〜ＭＰ６のドレインと接地端子２との間には、互いに異なる電流の基準電流源Ｉｒｅｆ１〜Ｉｒｅｆ６がそれぞれ接続されており、各トランジスタＭＰ１〜ＭＰ６と各基準電流源Ｉｒｅｆ１〜Ｉｒｅｆ６の共通接続点には、インバータＩＮＶ１〜ＩＮＶ６の入力端子がそれぞれ接続されている。それらインバータＩＮＶ１〜ＩＮＶ６の出力端子ＯＵＴ１〜ＯＵＴ６はデコーダ５に接続されている。
【００１３】
図８の状態設定回路では、モード端子３に出力する電圧は一定の電圧Ｖｒｅｆ０となるが、そこに接続するモード抵抗Ｒｍｏｄｅの抵抗値を切り替えることで、そこに流れる電流が切り替わり、同時にトランジスタＭＰ１〜ＭＰ６のドレインに流れる電流も切り替わる。したがって、モード抵抗Ｒｍｏｄｅの抵抗値に応じて、インバータＩＮＶ１〜ＩＮＶ６の出力端子ＯＵＴ１〜ＯＵＴ６の信号の論理の組み合わせが決まり、この組み合わせをデコーダ５でデコードすることで、動作モードの７つの組合せのうちから１つの組合せを指定する例えば３ビットの状態設定信号ＭＯＤＥが出力することになる。
【先行技術文献】
【特許文献】
【００１４】
【特許文献１】特許第５５１１５６４号
【発明の概要】
【発明が解決しようとする課題】
【００１５】
ところで、電源装置のユーザにおいては、状態設定回路で設定されている動作モードの現在の組合せがどのような組合せであるかを確認したい場合がある。しかし、図７や図８で説明した状態設定回路では、一旦、動作モードの組合せを設定したのちは、状態設定回路においてその組合せを確認することはできない。例えば、図７の状態設定回路はモード端子３に接続しているモード抵抗Ｒｍｏｄｅの抵抗値で動作モードの組合せが設定されるので、そのモード抵抗Ｒｍｏｄｅの電圧を確認すれば現在の組合せを推測することができるが、これはデコーダ７で選択された組合せを直接的に表すものではなく、あくまで推測にすぎない。また、図８の状態設定回路はモード端子３に現れる電圧が一定の電圧Ｖｒｅｆ０であるので、その電圧を確認しても、デコーダ８で選択された組合せを推測することすらできない。
【００１６】
本発明の目的は、動作モードの設定されている現在の組合せがどような組合せであるかを正確に確認できるようにした状態設定回路を備えた電源装置を提供することである。
【課題を解決するための手段】
【００１７】
上記目的を達成するために、請求項１にかかる発明の電源装置は、モード抵抗が接続され且つ一定の基準電圧になるように制御されるモード端子を備え、前記モード抵抗に流れる電流の値に応じて動作モードの組合せを設定する状態設定回路を備えた電源装置であって、動作モードの設定済の前記組合せに応じて前記基準電圧の電圧値が再設定されるようにしたことを特徴とする。
【００１８】
請求項２にかかる発明は、請求項１に記載の電源装置において、前記状態設定回路は、Ｎ個（Ｎは２以上の整数）の基準電圧から選択された１つの基準電圧を出力する電圧発生回路と、前記モード端子の電圧を前記電圧発生回路から出力する基準電圧になるように帰還制御することで前記モード抵抗の抵抗値に反比例した電流値の電流を生成する電流発生回路と、該電流発生回路で発生した電流の電流値に対応した互いに同一の電流値の電流を個別に流すＮ個の電流源と、互いに異なった電流値のＮ個の基準電流源と、前記Ｎ個の電流源の電流値と前記Ｎ個の基準電流源の電流値とを個別に比較するＮ個の電流比較手段とを備え、前記Ｎ個の電流比較手段の出力信号の組み合わせによって動作モードの前記組合せを設定し、設定された動作モードの前記組合せに応じて前記電圧発生回路から出力する前記基準電圧が切り替わるようにしたことを特徴とする。
【００１９】
請求項３にかかる発明は、請求項２に記載の電源装置において、前記電流発生回路は、反転入力端子と非反転入力端子の一方が前記モード端子に接続され前記反転入力端子と前記非反転入力端子の他方に前記電圧発生回路から出力する前記基準電圧が入力するオペアンプと、ゲートが前記オペアンプの出力端子に接続されドレインが前記モード端子に接続され前記モード端子の電圧を前記基準電圧に一致させるように制御する基準トランジスタとで構成され、前記電流源は、前記基準トランジスタと同一導電型で且つ前記基準トランジスタにゲートが共通接続された電流源トランジスタで構成され、前記電流比較手段は、前記電流源トランジスタの電流と前記基準電流源の電流との差分の極性によって論理を決めるインバータで構成されている、ことを特徴とする。
【００２０】
請求項４にかかる発明は、請求項３に記載の電源装置において、前記Ｎ個の基準電流源を同じ抵抗値の抵抗に置き換えたことを特徴とする。
【発明の効果】
【００２１】
本発明によれば、モード端子に動作モードの現在の組合せを示す電圧が現れるので、そのモード端子の電圧を計測することにより、現在の組合せを正確に確認することができる。また、インバータを使用できるので、回路規模を小さくすることができる。さらに、外部から電圧を印加せずにモードを設定することができるので、ＦＭＥＡの検討が容易になる。
【図面の簡単な説明】
【００２２】
【図１】本発明の１つの実施例の状態設定回路の回路図である。
【図２】図１の状態設定回路の電圧発生回路の回路図である。
【図３】図１の状態設定回路のデコード説明図である。
【図４】図１の状態設定回路の基準値電流と組合せの関係を示す説明図である。
【図５】図１の状態設定回路の動作説明図である。
【図６】図１の状態設定回路の別の例の電圧発生回路の回路図である。
【図７】状態設定回路の一例の回路図である。
【図８】別の状態設定回路の回路図である。
【発明を実施するための形態】
【００２３】
図１に本発明の１つの実施例の状態設定回路を示す。１は電源端子、２は接地端子、３はモード端子、４は電圧Ｖｒｅｆ０（＝Ｖｒｅｆ０１〜Ｖｒｅｆ０７）を発生する電圧発生回路、５はデコーダ、６はデコーダ５で設定された組合せ（設定状態）を保持する状態保持回路である。
【００２４】
ＯＰ１はオペアンプであり、非反転入力端子はモード端子３に接続され、出力端子はＰＭＯＳトランジスタＭＰ０のゲートに接続されている。そして、このオペアンプＯＰ１の反転入力端子には、動作モードの組合せを設定する状態設定時には電圧発生回路４で発生された基準電圧Ｖｒｅｆ０１が入力され、動作モードの組合せを確認する状態確認時には電圧発生回路４で発生された確認電圧Ｖｒｅｆ０１〜Ｖｒｅｆ０７のいずれかが入力される。これにより、オペアンプＯＰ１の非反転入力端子の電圧が電圧発生回路４で発生された電圧に一致するようにトランジスタＭＰ０が帰還制御される。これによって生成したトランジスタＭＰ０のドレイン電圧が、モード端子３と接地端子２との間に接続されたモード抵抗Ｒｍｏｄｅに印加して、そのドレイン及びモード抵抗Ｒｍｏｄｅにモード電流Ｉｍｏｄｅが流れる。
【００２５】
トランジスタＭＰ０のゲートには、トランジスタＭＰ０とサイズ比が同じ６個のＰＭＯＳトランジスタＭＰ１〜ＭＰ６のゲートが共通接続されており、このため、それらのトランジスタＭＰ１〜ＭＰ６のドレイン電流も、モード電流Ｉｍｏｄｅと同じとなる。
【００２６】
そして、トランジスタＭＰ１〜ＭＰ６のドレインと接地端子２との間には、基準電流源Ｉｒｅｆ１〜Ｉｒｅｆ６（電流値はＩｒｅｆ１＜Ｉｒｅｆ２＜Ｉｒｅｆ３＜Ｉｒｅｆ４＜Ｉｒｅｆ５＜Ｉｒｅｆ６の関係にある）がそれぞれ接続されており、各トランジスタＭＰ１〜ＭＰ６と各基準電流源Ｉｒｅｆ１〜Ｉｒｅｆ６の共通接続点には、インバータＩＮＶ１〜ＩＮＶ６の入力端子がそれぞれ接続されている。それらインバータＩＮＶ１〜ＩＮＶ６の出力端子ＯＵＴ１〜ＯＵＴ６はデコーダ５に接続されている。デコーダ５からは、出力端子ＯＵＴ１〜ＯＵＴ６の論理の組合せに応じて、例えば３ビットの状態設定信号ＭＯＤＥが出力する。
【００２７】
図２に電圧発生回路４を示す。４１は電圧Ｖｒｅｆ０の出力端子、４２は接地端子、４３は制御端子である。ここでは、互いに異なる電圧の７つの電圧源Ｖｒｅｆ０１〜Ｖｒｅｆ０７のうちの１つがスイッチＳ１〜Ｓ７によって選択されて、その電圧源の電圧が電圧Ｖｒｅｆ０として端子４１から出力するように構成されている。スイッチＳ１〜Ｓ７は状態保持回路６から出力する制御信号Ｃ１によって制御される。なお、この電圧発生回路４は、状態確認時には、スイッチＳ１〜Ｓ７によって電圧Ｖｒｅｆ０１〜Ｖｒｅｆ０７のうちの１つが電圧Ｖｒｅｆ０として出力するが、状態設定時には、例えばスイッチＳ１によって電圧Ｖｒｅｆ０１が電圧Ｖｒｅｆ０として出力する。
【００２８】
なお、請求項記載の基準トランジスタはトランジスタＭＰ０で、電流源トランジスタはトランジスタＭＰ１〜ＭＰ７で、それぞれ構成されている。また、電流発生回路は、オペアンプＯＰ１、トランジスタＭＰ０、基準電圧源Ｖｒｅｆ０、及びモード抵抗Ｒｍｏｄｅで構成されている。さらに、電流比較手段はインバータＩＮＶ１〜ＩＮＶ６で構成されている。
【００２９】
さて、動作モードの組合せを設定する状態設定時には、電圧発生回路４において基準電圧Ｖｒｅｆ０（＝Ｖｒｅｆ０１）が出力する。これにより、モード端子３に現れる電圧は電圧Ｖｒｅｆ０となる。
【００３０】
そこで、モード抵抗Ｒｍｏｄｅの抵抗値をＲ１に設定することで、Ｉｍｏｄｅ＜Ｉｒｅｆ１になると、インバータＩＮＶ１〜ＩＮＶ６の入力端子はすべて“Ｌ”となるので、その出力端子ＯＵＴ１〜ＯＵＴ６はすべて“Ｈ”となる（ＭＯＤＥ１）。
【００３１】
また、モード抵抗Ｒｍｏｄｅの抵抗値をＲ２（Ｒ２＜Ｒ１）に設定することで、Ｉｒｅｆ１＜Ｉｍｏｄｅ＜Ｉｒｅｆ２になると、インバータＩＮＶ１の入力端子は“Ｈ”になり、残りのインバータＩＮＶ２〜ＩＮＶ６の入力端子は“Ｌ”となるので、ＯＵＴ１は“Ｌ”、ＯＵＴ２〜ＯＵＴ６はすべて“Ｈ”となる（ＭＯＤＥ２）。
【００３２】
また、モード抵抗Ｒｍｏｄｅの抵抗値をＲ３（Ｒ３＜Ｒ２）に設定することで、Ｉｒｅｆ２＜Ｉｍｏｄｅ＜Ｉｒｅｆ３になると、インバータＩＮＶ１，ＩＮＶ２の入力端子は“Ｈ”になり、残りのインバータＩＮＶ３〜ＩＮＶ６の入力端子は“Ｌ”となるので、ＯＵＴ１、ＯＵＴ２は“Ｌ”、ＯＵＴ３〜ＯＵＴ６は“Ｈ”となる（ＭＯＤＥ３）。
【００３３】
また、モード抵抗Ｒｍｏｄｅの抵抗値をＲ４（Ｒ４＜Ｒ３）に設定することで、Ｉｒｅｆ３＜Ｉｍｏｄｅ＜Ｉｒｅｆ４になると、インバータＩＮＶ１〜ＩＮＶ３の入力端子は“Ｈ”になり、インバータＩＮＶ４〜ＩＮＶ６の入力端子は“Ｌ”となるので、ＯＵＴ１〜ＯＵＴ３は“Ｌ”、ＯＵＴ４〜ＯＵＴ６は“Ｈ”となる（ＭＯＤＥ４）。
【００３４】
また、モード抵抗Ｒｍｏｄｅの抵抗値をＲ５（Ｒ５＜Ｒ４）に設定することで、Ｉｒｅｆ４＜Ｉｍｏｄｅ＜Ｉｒｅｆ５になると、インバータＩＮＶ１〜ＩＮＶ４の入力端子は“Ｈ”になり、インバータＩＮＶ５，ＩＮＶ６の入力端子は“Ｌ”となるので、ＯＵＴ１〜ＯＵＴ４は“Ｌ”、ＯＵＴ５，ＯＵＴ６は“Ｈ”となる（ＭＯＤＥ５）。
【００３５】
また、モード抵抗Ｒｍｏｄｅの抵抗値をＲ６（Ｒ６＜Ｒ５）に設定することで、Ｉｒｅｆ５＜Ｉｍｏｄｅ＜Ｉｒｅｆ６になると、インバータＩＮＶ１〜ＩＮＶ５の入力端子は“Ｈ”になり、インバータＩＮＶ６の入力端子は“Ｌ”となるので、ＯＵＴ１〜ＯＵＴ５は“Ｌ”、ＯＵＴ６は“Ｈ”となる（ＭＯＤＥ６）。
【００３６】
最後に、モード抵抗Ｒｍｏｄｅの抵抗値をＲ７（Ｒ７＜Ｒ６）に設定することで、Ｉｒｅｆ６＜Ｉｍｏｄｅになると、インバータＩＮＶ１〜ＩＮＶ６の入力端子はすべて“Ｈ”になるので、ＯＵＴ１〜ＯＵＴ６はすべて“Ｌ”となる（ＭＯＤＥ７）。
【００３７】
以上から、動作モードの組合せを設定する状態設定時には、モード抵抗Ｒｍｏｄｅの抵抗値Ｒ１〜Ｒ７のうちから１つ選定すれば、図３、図４に示すように動作モードの組合せをＭＯＤＥ１〜ＭＯＤＥ７のいずれか１つに設定することができる。このとき、モード端子３の電圧は基準電圧Ｖｒｅｆ０（＝Ｖｒｅｆ０１）から変化しないので、モード端子３の隣接端子との短絡、接地端子２への地絡、電源端子１への天絡等のＦＭＥＡの検討が容易となる。また、インバータＩＮＶ１〜ＩＮＶ６や基準電流源Ｉｒｅｆ１〜Ｉｒｅｆ６を構成する素子の数は少なくて済むので、状態設定回路の回路規模を小さくすることができる。
【００３８】
以上のようにして動作モードの組合せが設定されると、その組合せに応じて電源装置の複数の動作モードが組み合せられる。また、その組合せが状態保持回路６によって保持される。そして、状態設定から所定時間経過の後に、状態保持回路６から出力する現在の組合せを示す制御信号Ｃ１によって、電圧発生回路４のスイッチＳ１〜Ｓ７の１つがＯＮされる。
【００３９】
例えば、組合せとしてＭＯＤＥ１が設定されたときは、スイッチＳ１がＯＮされ、端子４１に電圧Ｖｒｅｆ０１が出力する。このときは、状態設定時と同じ電圧Ｖｒｅｆ０１がモード端子３に現れるので、これを確認することにより、現在設定されている組合せがＭＯＤＥ１であることを確認することができる。
【００４０】
また、組合せとしてＭＯＤＥ２が設定されたときは、スイッチＳ２がＯＮされ、端子４１に電圧Ｖｒｅｆ０２が出力する。このときは、状態設定時と異なる電圧Ｖｒｅｆ０２がモード端子３に現れるので、これを確認することにより、現在設定されている組合せがＭＯＤＥ２であることを確認することができる。
【００４１】
また、組合せとしてＭＯＤＥ３が設定されたときは、スイッチＳ３がＯＮされ、端子４１に電圧Ｖｒｅｆ０３が出力する。このときは、状態設定時と異なる電圧Ｖｒｅｆ０３がモード端子３に現れるので、これを確認することにより、現在設定されている組合せがＭＯＤＥ３であることを確認することができる。
【００４２】
また、組合せとしてＭＯＤＥ４が設定されたときは、スイッチＳ４がＯＮされ、端子４１に電圧Ｖｒｅｆ０４が出力する。このときは、状態設定時と異なる電圧Ｖｒｅｆ０４がモード端子３に現れるので、これを確認することにより、現在設定されている組合せがＭＯＤＥ４であることを確認することができる。
【００４３】
また、組合せとしてＭＯＤＥ５が設定されたときは、スイッチＳ５がＯＮされ、端子４１に電圧Ｖｒｅｆ０５が出力する。このときは、状態設定時と異なる電圧Ｖｒｅｆ０５がモード端子３に現れるので、これを確認することにより、現在設定されている組合せがＭＯＤＥ５であることを確認することができる。
【００４４】
また、組合せとしてＭＯＤＥ６が設定されたときは、スイッチＳ６がＯＮされ、端子４１に電圧Ｖｒｅｆ０６が出力する。このときは、状態設定時と異なる電圧Ｖｒｅｆ０６がモード端子３に現れるので、これを確認することにより、現在設定されている組合せがＭＯＤＥ６であることを確認することができる。
【００４５】
また、組合せとしてＭＯＤＥ７が設定されたときは、スイッチＳ７がＯＮされ、端子４１に電圧Ｖｒｅｆ０７が出力する。このときは、状態設定時と異なる電圧Ｖｒｅｆ０７がモード端子３に現れるので、これを確認することにより、現在設定されている組合せがＭＯＤＥ７であることを確認することができる。
【００４６】
以上から、動作モードの組合せを確認する状態確認時には、モード端子３に状態設定時に接続したモード抵抗Ｒｍｏｄｅがどのような抵抗値であっても、そのモード端子３に、現在設定されている組合せに対応した電圧Ｖｒｅｆ０１〜Ｖｒｅｆ０７のいずれかが図３に示すように、状態確認用電圧として現れるので、これをテスタ等の測定器で測定することにより、現在の組合せを確認することができる。
【００４７】
図６に別の例の電圧発生回路４を示す。４４は電圧Ｖｒｅｆ０の出力端子、４５は接地端子、４６は制御端子である。ここでは、電圧源Ｖｒｅｆに抵抗Ｒ０１〜Ｒ０７を直列接続して、それら各抵抗Ｒ０１〜Ｒ０７に並列にスイッチＳ１１〜Ｓ１７をそれぞれ接続している。スイッチＳ１１〜Ｓ１７を状態保持回路６から出力する現在の組合せを示す制御信号Ｃ２によってＯＮ/ＯＦＦ制御することで、出力端子４４に互いに異なる電圧Ｖｒｅｆ０１〜Ｖｒｅｆ０７を出力することができる。
【００４８】
なお、以上説明した実施例では、ＰＭＯＳのトランジスタＭＰ０〜ＭＰ６を使用したが、これらをＮＭＯＳトランジスタに置き換えることもできる。この場合は、オペアンプＯＰ１の反転入力端子をモード端子３に接続し非反転入力端子に基準電圧源Ｖｒｅｆ０を接続すればよい。また、基準電流源Ｉｒｅｆ１〜Ｉｒｅｆ６は同一の抵抗値の固定抵抗に置き換えることができる。また、インバータＩＮＶ１〜ＩＮＶ６としては、２個の閾値を設けてヒステリシスを付与したインバータを使用すれば、安定的な電流比較を行うことができる。
【符号の説明】
【００４９】
１：電源端子、２：接地端子、３：モード端子、４：電圧発生回路、５：デコーダ、６：状態保持回路、７：デコーダ
【図１】
2018005648.tif 000003
【図２】
2018005648.tif 000004
【図３】
2018005648.tif 000005
【図４】
2018005648.tif 000006
【図５】
2018005648.tif 000007
【図６】
2018005648.tif 000008
【図７】
2018005648.tif 000009
【図８】
2018005648.tif 000010